(57)【特許請求の範囲】
【請求項１】
映像信号特性の異なる複数の撮影モードで撮影できる撮像手段と、
前記撮像手段によって撮影された前記映像信号特性の画像を記録媒体に記録する記録手段と、
前記記録手段が前記画像を記録媒体に記録するのと同時に前記記録手段により記録される各撮影モードに対応した映像信号特性の画像を入力し、入力した前記画像に所定の処理を施して画像表示装置に表示する表示制御手段と、を有し、
前記表示制御手段は、前記撮像手段の前記撮影モードが第１撮影モードである場合は、前記記録手段が前記第１撮影モードに対応する第１コントラスト特性の画像を記録媒体に記録するのと同時に入力した前記第１コントラスト特性の画像に対して第１コントラスト調整を施すことにより前記入力した画像の映像信号特性を変える処理を行い、前記撮像手段の前記撮影モードが第２撮影モードである場合は、前記記録手段が前記第２撮影モードに対応する前記第１コントラスト特性よりも高い第２コントラスト特性の画像を記録媒体に記録するのと同時に入力した前記第２コントラスト特性の画像に対して前記第１コントラスト調整よりも低下度合いが大きい第２コントラスト調整を施すことにより前記入力した画像の映像信号特性に変える処理を行うことで、前記画像表示装置に表示させる画像の前記第１及び前記第２の撮影モード間での映像信号特性の違いを抑えるよう制御することを特徴とする撮像装置。
【請求項２】
前記撮像手段の第１撮影モードは、テレビでの表示に使用するための動画モードであり、前記撮像手段の第２撮影モードは、印刷に使用するための静止画モードであることを特徴とする請求項１記載の撮像装置。
【請求項３】
前記撮像手段の第１撮影モードは、動画を磁気テープに記録するテープモードであり、前記撮像手段の第２撮影モードは、静止画を半導体記憶装置に記録するカードモードであることを特徴とする請求項１記載の撮像装置。
【発明の詳細な説明】
【技術分野】
【０００１】
本発明は、カメラ一体型ＶＴＲ等で使用される画像表示装置に関する。
【背景技術】
【０００２】
従来、カメラ一体型記録再生装置は磁気テープに動画を記録再生し、撮影された画像をテレビで鑑賞することを主な目的として開発されてきた。このカメラ一体型記録再生装置にて撮影画像の確認のために用いられる画像表示装置には、そのコストや大きさ、性能の面で最もバランスがとれている液晶表示装置が現在一般に用いられている。しかし液晶表示装置はＣＲＴと比較しダイナミックレンジが狭いという欠点がある。
【０００３】
ここで、液晶表示装置の表示画像の明るさは液晶パネルの背面から照射するバックライトの輝度に依存するが、バックライトの輝度を上げることはそのまま消費電力の増加につながる。バッテリで駆動する機会が多いカメラ一体型記録再生装置では消費電力の増加はバッテリ持続時間の低下につながるため、装置の使い勝手が悪くなってしまう。そこで液晶の狭いダイナミックレンジでかつ限られたバックライトの輝度でも表示画像が明るく見えるように、液晶駆動回路の映像信号処理部にて中間輝度を持ち上げ高輝度部はやや飽和気味になるような画作りを行うことによって、消費電力の増加を抑えながら見栄えの良い画像表示装置を提供している。
【０００４】
一方、近年デジタルカメラの普及に伴い従来のようにテープに動画を記録するモードに加え、デジタルカメラのように半導体記憶装置（以下メモリカードという）に静止画像を記録する機能を備えたカメラ一体型記録再生装置が普及しつつある。メモリカードに記録された静止画像は外部に接続されたプリンタによって印刷される、という使われ方をすることが多い。
【０００５】
一般にテレビで観賞するのに最適な映像信号特性と、印刷をするのに最適な映像信号特性とは異なる。故に、前述のような動画撮影機能と静止画撮影機能とを具えたカメラ一体型記録再生装置では、撮影時にカメラ信号処理回路にて最終的な出力形態がテレビであるのか、印刷であるのかに応じて、ガンマ、輪郭強調、ホワイトバランス等の映像信号特性の設定値を変えるということを行っている（特許文献１を参照）。
【０００６】
しかし従来のカメラ一体型記録再生装置に用いられる画像表示装置では、撮影モードに応じた映像信号特性の切替は行っておらず、例えば動画モード時の映像信号特性の画像が最適に見えるように、液晶パネルのダイナミックレンジをぎりぎりまで使用した前述のような画質で画像を表示するのみであった。一方、カメラ一体型記録再生装置ではなく、パーソナルコンピュータ等の表示装置においては、接続される機器に応じてその表示特性を異ならせる技術は知られている（特許文献２を参照）。
【特許文献１】特許第４０３５２６３号公報
【特許文献２】特開２００１−３３８２８９号公報
【発明の開示】
【発明が解決しようとする課題】
【０００７】
前述したように液晶表示パネルを用いた画像表示装置では、見栄えを重視するために液晶表示パネルのダイナミックレンジを最大限まで利用した画作りを行っている。液晶表示パネルのダイナミックレンジを最大限利用しているが故、あらかじめ想定したよりも高いレベルの映像信号が入力されると飽和し易い。例えば、テレビでの観賞に適した映像信号特性に対して、印刷に適した映像信号のガンマ、コントラストが高い場合、テレビでの観賞に適した特性の映像信号で画質を最適化した液晶表示パネルに、印刷に適した特性の映像信号が入力されると低輝度部、高輝度部が飽和し階調の再現が不可能となる。これはいわゆる「黒つぶれ」「白とび」といわれる現象であり、この現象は被写体の視認性を著しく損ねてしまう。逆に、ガンマ、コントラストが高い入力映像信号に最適化した画像表示装置に、ガンマ、コントラストの低い映像信号を入力すると、輝度、コントラストの低い画像となって表示され、同様に視認性が悪くなる。
【０００８】
このように従来のカメラ一体型記録再生装置では、テレビで観賞するに適した映像信号特性で最適化した画像表示装置に、印刷するに適した映像信号特性の画像を表示させた場合、またはその逆の場合でも画像表示装置の視認性が悪化する、という欠点があった。
【課題を解決するための手段】
【０００９】
上記課題を解決するために、本発明の撮像装置は、映像信号特性の異なる複数の撮影モードで撮影できる撮像手段と、前記撮像手段によって撮影された前記映像信号特性の画像を記録媒体に記録する記録手段と、前記記録手段が前記画像を記録媒体に記録するのと同時に前記記録手段により記録される各撮影モードに対応した映像信号特性の画像を入力し、入力した前記画像に所定の処理を施して画像表示装置に表示する表示制御手段と、を有し、前記表示制御手段は、前記撮像手段の前記撮影モードが第１撮影モードである場合は、前記記録手段が前記第１撮影モードに対応する第１コントラスト特性の画像を記録媒体に記録するのと同時に入力した前記第１コントラスト特性の画像に対して第１コントラスト調整を施すことにより前記入力した画像の映像信号特性を変える処理を行い、前記撮像手段の前記撮影モードが第２撮影モードである場合は、前記記録手段が前記第２撮影モードに対応する前記第１コントラスト特性よりも高い第２コントラスト特性の画像を記録媒体に記録するのと同時に入力した前記第２コントラスト特性の画像に対して前記第１コントラスト調整よりも低下度合いが大きい第２コントラスト調整を施すことにより前記入力した画像の映像信号特性に変える処理を行うことで、前記画像表示装置に表示させる画像の前記第１及び前記第２の撮影モード間での映像信号特性の違いを抑えるよう制御する。
【発明の効果】
【００１３】
本発明によれば、例えば、主にテレビに出力することを目的としそれに適した映像信号特性にした撮影モードと、主に印刷することを目的としそれに適した映像信号特性にした撮影モード等、記録の最終出力形態の違いに応じてガンマ、ブライトネス、コントラスト等の映像信号の特性が変わっても、その特性差を補正するよう画像表示装置の映像信号特性を切り替えることによって画像表示装置には一定の画質の画像が表示されるようになる。
【発明を実施するための最良の形態】
【００１４】
以下、図面に基づいて、本発明を実施の形態を詳細に説明する。
【実施例１】
【００１５】
図１は本発明のカメラ一体型記録再生装置の実施の形態の基本構成を示すブロック図である。
【００１６】
同図において、撮影モード切替スイッチ１３にてテープモードかカードモードかをユーザーが選択する。選択結果はマイコン１４に供給されマイコン１４がカメラ信号処理回路１７および液晶駆動回路２のメモリ６を制御する。レンズ１５から入力された画像はＣＣＤ１６にて光電変換されカメラ信号処理回路１７に供給される。カメラ信号処理回路１７にて画像処理された映像信号は、撮影モード切替スイッチ１３がテープモードのときはレコーダ回路１８に供給され記録信号処理をされた後、記録媒体であるテープ１９に記録されると同時に、ビデオ出力端子１２と液晶駆動回路２の入力端子１に供給される。撮影モード切替スイッチ１３がカードモードのとき、映像信号はレコーダ回路１８に供給され記録信号処理された後、記録媒体であるメモリカード２０に記録されると同時に、プリンタ出力端子１１と液晶駆動回路２の入力端子１に供給される。
【００１７】
入力端子１に入力された映像信号は液晶駆動回路２に供給され、液晶駆動回路２の中で振幅を調整するためのコントラスト調整回路３、セットアップレベルを調整するためのブライトネス調整回路４、ガンマ特性を調整するためのガンマ調整回路５さらに極性反転回路（図示せず）等にて映像信号処理された後、画像表示装置１０に供給され画像が表示される。コントラスト調整回路３、ブライトネス調整回路４、ガンマ調整回路５はメモリ６に格納されている制御データ７あるいは同８，９に基いて調整値が設定される。
【００１８】
上記構成においてカメラ信号処理回路１７は、撮影モード切替スイッチ１３がテープモードのときビデオ出力端子１２に接続される外部モニタ（図示せず）の表示画像が最適になるよう予め設定した映像信号特性に信号処理する。また、撮影モード切替スイッチ１３がカードモードのとき、プリンタ出力端子１１に接続されたプリンタ（図示せず）での印刷画像が最適になるよう予め設定した映像信号特性に信号処理する。
【００１９】
液晶駆動回路２にてコントラスト調整回路３、ブライトネス調整回路４、ガンマ調整回路５を制御する制御データは、例えばテープモード時のカメラ画像に最適化したものを制御データＡ、カードモードのカメラ画質に最適化したものを制御データＢ、ユーザーが任意に設定したものを制御データＣとしてメモリ６に格納しておく。
【００２０】
表１はメモリ６内のデータの組み合わせを表したデータテーブルである。同表において、制御データＡはコントラスト、ブライトネス、ガンマの各調整値をテープモード時の映像信号特性の画像に最も適した値に設定するものであり、それぞれａ１、ｂ１、ｃ１という値からなる。制御データＢは同様にカードモード時の映像信号特性の画像に最も適した値に設定するものであり、それぞれａ２、ｂ２、ｃ２という値からなる。制御データＣはユーザーが任意に設定する画質モードでそれぞれａ３、ｂ３、ｃ３という値からなる。
【００２１】
例えば、カメラ信号処理回路１７にてテープモードの映像信号特性に対してカードモードの映像信号のコントラストを高く設定している場合、液晶駆動回路のコントラスト調整回路３でテープモード時のコントラスト制御データａ１に対してカードモード時のコントラスト制御データａ２を低くすれば、画像表示装置１０には撮影モードによらず常に一定の映像信号特性で画像を表示することが可能となる。
【００２２】
以上のように、撮影モードに応じて液晶駆動回路２に入力される映像信号特性がかわったときにも、液晶駆動回路２ではそれぞれの映像信号特性にて最適化した制御データによってコントラスト、ブライトネス等の映像信号調整回路を制御するため、画像表示装置１０には常に最適な画像が表示される。
【００２３】
特に、画像表示装置１０に液晶パネルを使用した場合、液晶パネルはその特性上ダイナミックレンジが狭いため、ある条件の映像信号特性で最適化したものにそれ以上振幅の大きな映像信号が入力されると表示画像が飽和してしましいわゆる「白とび」といわれる高輝度部分の階調再現性能の劣る画像表示となっていまうが、本発明の構成によればモードに応じて表示装置の画質を最適に設定するために前述のような不具合は発生しない。
【実施例２】
【００２４】
実施例１では記録媒体がテープであるのかカードであるのかによって撮像装置の映像信号特性を切り替えたが、他の実施例として、テープモードの替わりに動画を撮影するための動画モード、カードモードの替わりに静止画を撮影するための静止画モードとし、動画を撮影するのか静止画を撮影するのかによって撮像装置の映像信号特性を切り替える方法も考えられる。システム構成、発明による効果は実施例１と同様である。
【００２５】
【表１】
0004500711.tif 000002
【図面の簡単な説明】
【００２６】
【図１】本発明のカメラ一体型記録再生装置の実施の形態の基本構成を示すブロック図
【符号の説明】
【００２７】
１  入力端子
２  液晶駆動回路
３  コントラスト調整回路
４  ブライトネス調整回路
５  ガンマ調整回路
６  メモリ
７  第一の制御データ
８  第二の制御データ
９  第三の制御データ
１０  画像表示装置
１１  プリンタ出力端子
１２  ビデオ出力端子
１３  撮影モード切替スイッチ
１４  マイコン
１５  レンズ
１６  ＣＣＤ
１７  カメラ信号処理回路
１８  レコーダ回路
１９  テープ
２０  メモリカード
【図１】
0004500711.tif 000003